(57)【要約】【課題】平板状被検査部材の下面側に透過照明装置を設置せずに、落射照明のみで平板状被検査部材のシール材塗布状態を正確に検査し、構造を簡単にする。【解決手段】シール材塗布検査装置は、透明基板（平板状被検査部材）Ｗの上方に、受光部の光軸Ｓ１を透明基板の上面に垂直に向けて配置され、透明基板Ｗからの反射光を検出するＣＣＤカメラ（光学センサ）５と、透明基板Ｗの上面側にあって、投光部の光軸Ｓ２がＣＣＤカメラ５の受光部の光軸Ｓ１と透明基板Ｗの上面で交差するように配置された照明器６と、透明基板Ｗの下面側に近接して配置され、照明器６から投光された光のうち透明基板Ｗを透過した光をＣＣＤカメラ５側へ反射する反射鏡１９とを備え、反射鏡１９を、ＣＣＤカメラ５の受光部の光軸Ｓ１と照明器６の投光部の光軸Ｓ２との交差部の直下において透明基板Ｗに平行に配置した構成となっている。【選択図】        図２
2004309262.tif 000002
【特許請求の範囲】
【請求項１】
光透過性を有する平板状被検査部材の上方に、受光部の光軸を前記平板状被検査部材の上面に垂直に向けて配置され、平板状被検査部材からの反射光を検出する光学センサと、前記平板状被検査部材の上面側にあって、投光部の光軸が前記光学センサの受光部の光軸と前記平板状被検査部材の上面で交差するように配置された照明器と、前記平板状被検査部材の下面側に近接して配置され、前記照明器から投光された光のうち前記平板状被検査部材を透過した光を前記光学センサ側へ反射する反射鏡とを備えていることを特徴とするシール材塗布検査装置。
【請求項２】
前記反射鏡は、前記光学センサの受光部の光軸と前記照明器の投光部の光軸との交差部の直下において前記平板状被検査部材に平行に配置されていることを特徴とする請求項１に記載のシール材塗布検査装置。
【請求項３】
前記光学センサと前記照明器がそれらの光軸をＸ軸方向に沿う平面上に整列するようにして複数個設けられると共に、前記反射鏡がＸ軸方向に沿うように延長して設けられ、前記平板状被検査部材を載置してＸ軸方向に直交するＹ軸方向に移動させる搬送装置が設けられていることを特徴とする請求項１または２に記載のシール材塗布検査装置。
【請求項４】
前記光学センサと前記照明器が一緒にＸ軸方向に移動自在に設けられると共に、前記反射鏡がＸ軸方向に沿うように延長して設けられ、前記平板状被検査部材を載置してＸ軸方向に直交するＹ軸方向に移動させる搬送装置が設けられていることを特徴とする請求項１または２に記載のシール材塗布検査装置。
【発明の詳細な説明】
【０００１】
【発明の属する技術分野】
本発明は、液晶基板等の平板上に塗布したシール材の塗布状態や欠陥の検査を行うシール材塗布検査装置に関するものである。
【０００２】
【従来の技術】
液晶表示装置は、電極や配向膜等を形成された２枚の透明基板間に液晶層を挟持し、その周囲をシール材でシール（封止）してなる液晶表示素子が用いられている。一般に、前記シール材は、マイクロディスペンサ等の塗布装置によって前記透明基板上に自動的に塗布されるが、その塗布位置のずれ、塗布幅（塗布径）の異常や塗布の途切れ等の塗布状態の欠陥を生じることがある。
このため、前記シール材の塗布状態の欠陥の有無等を検査する必要があると共に、その検査を自動化することにより、液晶表示素子の製造歩留まりを大きく向上させることが要求されている。
従来、前記液晶表示素子におけるシール材の塗布状態を検査するシール材塗布検査装置として、透明基板を照明する照明器による落射照明の反射光の光軸とＣＣＤカメラ等の光学センサの光軸とが異なるように、前記照明器と光学センサとを配置して、透明基板上に塗布されたシール材を暗視野で前記光学センサによって検出するようにしたもの（例えば、特許文献１参照）や、前記落射照明と、該落射照明の透明基板下への透過光を反射してなる反射照明または透過照明とを組み合わせることにより、透明基板上のシール材部分から生じる散乱光を前記光学センサによって検出するようにしたもの（例えば、特許文献２参照）が知られている。
【０００３】
【特許文献１】
特開平１０−１７０２４２号公報
【特許文献２】
特開平８−３０４２９６号公報
【０００４】
【発明が解決しようとする課題】
しかしながら、従来のシール材塗布検査装置のうちの前者の装置では、前記透明基板上のシール材部分の照明が落射照明だけであるので、該シール材を通過してしまう照明光に起因してシール材部分で生じる散乱光が少なく、シール材の途切れの有無等を正確に検出できない問題がある。
また、後者の装置では、前記落射照明とは別に、反射照明または透過照明等の照明装置を透明基板の下面側に配置しなければならず、前記照明装置によって透明基板の下面側の空間に設備される他の機器の配置の自由度が制限されると共に、装置が複雑になって製作費が高くなる等の問題がある。そして、前記反射照明を行うもにあっては、透明基板の下面側に配置された反射鏡によって反射される反射光は、落射照明による落射光と平行に照明器（投光器）に向かって反射されるものであり、そのために、前記反射鏡が透明基板の下面から離れた位置に配置され、かつ前記反射鏡の反射面が前記照明器から透明基板を透過してきた透過光の光軸と直角になるように正確に設置されねばならず、その設置作業や装置が複雑化するという問題がある。
【０００５】
本発明は、前記事情に鑑みてなされたもので、平板状被検査部材の下面側に透過照明装置を設置することなく、落射照明のみによって平板状被検査部材のシール材部分に充分な散乱光を発生させて、前記平板状被検査部材へのシール材の塗布状態を暗視野において正確に検査することができ、かつ構造が簡単なシール材塗布検査装置を提供することを目的とする。
【０００６】
【課題を解決するための手段】
本発明は、前記課題を解決するために、以下の点を特徴としている。
すなわち、請求項１に係るシール材塗布検査装置は、光透過性を有する平板状被検査部材の上方に、受光部の光軸を前記平板状被検査部材の上面に垂直に向けて配置され、平板状被検査部材からの反射光を検出する光学センサと、前記平板状被検査部材の上面側にあって、投光部の光軸が前記光学センサの受光部の光軸と前記平板状被検査部材の上面で交差するように配置された照明器と、前記平板状被検査部材の下面側に近接して配置され、前記照明器から投光された光のうち前記平板状被検査部材を透過した光を前記光学センサ側へ反射する反射鏡とを備えていることを特徴としている。
【０００７】
また、請求項２に係るシール材塗布検査装置は、請求項１に記載の装置において、前記反射鏡は、前記光学センサの受光部の光軸と前記照明器の投光部の光軸との交差部の直下において前記平板状被検査部材に平行に配置されていることを特徴としている。
【０００８】
また、請求項３に係るシール材塗布検査装置は、請求項１または２に記載の装置において、前記光学センサと前記照明器がそれらの光軸をＸ軸方向に沿う平面上に整列するようにして複数個設けられると共に、前記反射鏡がＸ軸方向に沿うように延長して設けられ、前記平板状被検査部材を載置してＸ軸方向に直交するＹ軸方向に移動させる搬送装置が設けられていることを特徴としている。
【０００９】
また、請求項４に係るシール材塗布検査装置は、請求項１または２に記載の装置において、前記光学センサと前記照明器が一緒にＸ軸方向に移動自在に設けられると共に、前記反射鏡がＸ軸方向に沿うように延長して設けられ、前記平板状被検査部材を載置してＸ軸方向に直交するＹ軸方向に移動させる搬送装置が設けられていることを特徴としている。
【００１０】
【発明の実施の形態】
以下、本発明の一実施の形態に係るシール材塗布検査装置について図１〜図４を参照して説明する。
図１〜図４において、１は本発明の一実施の形態に係るシール材塗布検査装置である。該シール材塗布検査装置１は、基台２上にＹ軸方向ｙに水平に延長して設けられ、平板状の透明基板（光透過性を有する平板状被検査部材）Ｗを載置してＹ軸方向ｙへ移動させるためのワーク搬送装置（搬送装置）３と、前記基台２の両端部にボルトによって固定されてＹ軸に直角なＺ軸方向ｚに立設された一対の支柱４ａ，４ａの上端に、Ｙ軸とＺ軸に直角なＸ軸方向ｘに向けて水平に配設したＸ軸ビーム４ｂをボルト等で連結して門型に構成した支持フレーム４と、該支持フレーム４のＸ軸ビーム４ｂに支持されて前記ワーク搬送装置３に載置した透明基板Ｗの上方に配置され、該透明基板Ｗの上面を撮像するＣＣＤカメラ（光学センサ）５と、前記Ｘ軸ビーム４ｂに支持されて前記透明基板Ｗの上面側に配置され該透明基板Ｗを上方から落射照明する照明器６とを備えている。
【００１１】
前記ワーク搬送装置３は、前記支柱４ａ，４ａの間において前記基台２の両端上部に固定して設けられた一対の搬送機構７，７と、該各搬送機構７，７の間において前記基台２に固定され、Ｙ軸方向ｙの中央とその前後（図１，図２で左右）に、それぞれ、水平に配置された中央部支持案内機構８、前部支持案内機構９、後部支持案内機構１０とを備えている。
前記各搬送機構７，７は、前記基台２の上部に固定されてＹ軸方向ｙに延長されたフレーム７ａと、該フレーム７ａの前、後端部に回転自在に支持されたローラ１１，１１と、該ローラ１１，１１に巻き掛けられた無端状のスチールベルト（ベルト）１２と、該スチールベルト１２の上方移動部に固定されて上方に突き出された支持部材１３と、該支持部材１３の上端に中間部を固定されてＹ軸方向ｙに水平に延長されたワーク支持板１４とを備え、該ワーク支持板１４の前後端部には、ワーク支持板１４に載置された透明基板ＷのＸ軸方向ｘの端部の前後を把持するクランパ１４ａ，１４ａが設けられている。
【００１２】
そして、前記搬送機構７，７は、各フレーム７ａ，７ａに設けた前方または後方のローラ（駆動ローラ）１１，１１が、サーボモータ（回転駆動手段）２３（図３参照）によって同期して正転、逆転されると、前記スチールベルト１２，１２の上方移動部が前後に移動し、前記支持部材１３を介して前記ワーク支持板１４がＹ軸方向ｙに移動して、前記透明基板ＷをＹ軸方向ｙへ移動させるようになっている。なお、前記フレーム７ａにはＸ軸方向ｘの両側に側壁部７ｂ，７ｂが設けられ、該側壁７ｂ，７ｂによって、前記スチールベルト１２および前記支持部材１３が、Ｘ軸方向ｘへ蛇行するのを阻止されてＹ軸方向ｙへ案内移動されると共に、該側壁７ｂに固定した水平のガイド部材（図示せず）に、前記支持部材１３がその下端を接触して案内されることにより、前記ワーク支持板１４がＹ軸方向ｙへ水平を保って移動されるようになっている。なお、前記搬送機構７は、スチールベルト１３の代わりに、リニアモータで前記支持部材１３を移動させる構成としてもよい。
【００１３】
前記各支持案内機構８，９，１０は、それぞれ、前記基台２に固定された支持枠８ａ，９ａ，１０ａに、Ｘ軸方向ｘに沿って延長された複数の支持ローラ１５が、Ｙ軸方向ｙに所定間隔をあけて並列され、かつ上端部を前記支持枠８ａ，９ａ，１０ａの上面より僅かに上に突き出させた状態で回転自在に支持されて構成されている。各支持案内機構８，９，１０の支持ローラ１５は、前記透明基板Ｗの下面を支持してＹ軸方向ｙに案内すべく、上端が同一の水平面上設定されている。なお、各支持ローラ１５は１本のローラで構成する代わりに複数個のローラを一直線状に連ねたものとして構成してもよい。
【００１４】
前記ＣＣＤカメラ５は、その光学系の対物レンズ（受光部）５ａの光軸Ｓ１が前記支持案内機構８，９，１０上に載置された透明基板Ｗの上面に垂直（略垂直を含む）になるようにして、前記Ｘ軸ビーム４ｂの前面に固定した支持体１６に複数個取り付けられている。各ＣＣＤカメラ５は、前記光軸Ｓ１の位置が平面視でＸ軸方向ｘに一直線状に整列（光軸Ｓ１がＸ軸方向ｘに沿う透明基板Ｗに垂直な平面上に整列）され、それらの撮像範囲がＸ軸方向ｘに不連続とならないように、相互に近接して等間隔をあけて配置されている。また、各ＣＣＤカメラ５は、前記支持体１６に設けたホルダ１６ａに上下位置調整機構１６ｂ（図２参照）を介して支持され、前記透明基板Ｗの上面に対する光学系の焦点位置を個々に上下に移動調節できるようになっている。
【００１５】
また、前記支持体１６の両端には、前記Ｘ軸ビーム４ｂの前方に突き出したＬ字状の支持アーム１７が取り付けられ、該支持アーム１７の先端下部に固定した支持板１７ａには、前記照明器６が、前記ＣＣＤカメラ５の前方位置において、該ＣＣＤカメラ５に対応させてそれと同数だけ取り付けられている。各照明器６は、前記ＣＣＤカメラ５の光軸Ｓ１が整列された平面に対して傾斜したＸ軸方向ｘに沿う平面上に、投光部の光軸Ｓ２を等間隔をあけて整列され、それらの照明範囲がＸ軸方向ｘに照明斑が生じないように配置されている。各照明器６は、一般の白色光でよく、例えば、メタルハライドランプ１８０Ｗが用いられる。
【００１６】
そして、各照明器６は、その投光部の光軸Ｓ２が前記ＣＣＤカメラ５の対物レンズ５ａの光軸Ｓ１と前記透明基板Ｗの上面で交差するようになっている。前記ＣＣＤカメラ５の対物レンズ５ａの光軸Ｓ１と前記照明器６の投光部の光軸Ｓ２とのなす角度θは、前記ＣＣＤカメラ５が前記照明器６からの照射光を直接検出しない範囲ならよいが、前記角度θが大きくなると前記照明器６の光量を多くしなければならず、また、角度θが小さいと後述の透明基板Ｗに塗布された透明のシール材１８（図４参照）から生じる散乱光が少なくなるので、やはり照明器６の光量を上げる必要がある。このため、前記角度θは３５°〜６０°の範囲、好ましくは５０°ないしはそれに近似した角度に設定される。前記角度θの上、下限範囲を外れると、前記シール材１８の部分を鮮明に光らせることができない。
【００１７】
前記ワーク搬送装置３の中央部支持案内機構８における隣接した一対の支持ローラ１５，１５間であって、前記ＣＣＤカメラ５の光軸Ｓ１の下方の位置には、平板状の反射鏡１９が図示しない支持具を介して前記中央部支持案内機構８に取り付けられている。前記反射鏡１９は、前記透明基板Ｗの下面側においてそれに平行に近接して配置され、かつ透明基板Ｗに塗布されたシール材１８の幅（塗布径）より十分に広いＹ軸方向ｙの幅を有し、Ｘ軸方向ｘに前記照明器６の照明範囲と略同じ範囲にわたって延長して設けられており、照明器６から投光されて前記透明基板Ｗを透過した透過光を前記ＣＣＤカメラ５側へ反射するようになっている。
【００１８】
前記構成のシール材塗布検査装置１の制御装置２０は、マイクロコンピュータからなり、図３に示すように、前記ＣＣＤカメラ５により撮像して得られた前記透明基板Ｗの上面の画像データから透明基板Ｗに塗布されたシール材１８の形状を検出する画像判定部２１と、前記照明器６に接続されてその投光量を調節する光源調整部２２と、前記搬送機構７，７を駆動して前記透明基板ＷをＹ軸方向ｙに移動させる前記サーボモータ２３，２３を作動させるモータ制御部２４とを備えている。
【００１９】
前記画像判定部２１には、前記ＣＣＤカメラ５に接続され、該ＣＣＤカメラ５から得られたアナログ画像信号をデジタル信号に変換するＡ／Ｄ変換器２１ａと、該Ａ／Ｄ変換器２１ａからのデジタル信号を記憶する画像メモリ２１ｂと、該画像メモリ２１ｂに取り込まれた画像データを２値化処理してその特徴データを求める画像処理部２１ｃと、該画像処理部２１ｃからの特徴データを、内部のメモリに予め格納されている基準データと比較して、透明基板Ｗの上面の状態を判定する演算処理部２１ｄとが設けられている。
【００２０】
次に、前記一実施の形態に係るシール材塗布検査装置１の作用について説明する。前記ワーク搬送装置３における搬送機構７，７のワーク支持板１４上に、透明基板Ｗを載せてクランパ１４ａで把持、固定する。そして、前記制御装置２０を動作させて、前記モータ制御部２４によってサーボモータ２３，２３を回転させることにより、搬送機構７，７を介して透明基板ＷをＹ軸方向ｙへ移動させると共に、前記照明器６の投光部から投光しながら、前記ＣＣＤカメラ５を作動させる。この場合、前記ＣＣＤカメラ５の対物レンズ５ａの焦点と照明器６の光源の光量は、それぞれ、前記上下位置調整機構１６ｂと前記光源調整部２２で予め正しく調整されている。
【００２１】
前記搬送装置７，７によって透明基板Ｗが前記ＣＣＤカメラ５の直下まで移動されて来ると、それまでＣＣＤカメラ５からの出力が所定レベル以下のため動作しなかった画像判定部２１が動作を開始し、これにより、ＣＣＤカメラ５によって前記透明基板Ｗの上面の状態が撮像されて得られた画像データがＡ／Ｄ変換器２１ａを介してデジタル信号として画像メモリ２１ｂに取り込まれる。
前記透明基板Ｗが、図４（ｂ）に示すように、シール材１８の部分が前記ＣＣＤカメラ５の直下に到達すると、前記照明器６から投光された光は、一部がシール材１８の部分で乱反射し、残部がシール材１８と透明基板Ｗを透過して前記反射板１９でシール材１８側に反射し、それらの反射光によってシール材１８の部分に散乱光が生じて該シール材１８の部分が他の部分（暗部）と明確に区別されて鮮明に光る。このため、前記画像データは、暗視野の中にシー材１８の部分が白く映し出された画像として得られ、該画像が、前記サーボモータ２３に設けた位置検出器（図示せず）によって検出される透明基板ＷのＹ軸方向ｙの位置と、前記各ＣＣＤカメラ５のＸ軸方向ｘに配置された位置とに関連ずけられて画像メモリ２１ｂに取り込まれる。
【００２２】
前記画像メモリ２１ｂに取り込まれた画像データは画像処理部２１ｃに送られて、該画像処理部２１ｂで前記シール材１８の部分（発光部）とその他の部分（暗部）とを２値化処理によってシール材１８の画像の特徴データが求められて演算処理部２１ｄに送られる。該演算処理部２１ｄは、前記特徴データを、予め内部に格納されているシール材１８の位置、シール材１８の幅等の基準データと比較し、該基準データと一致しない特徴データの部分をシール材１８の欠陥部分として、そのパターンにより、図４（ａ）に示すように、塗布の途切れ部分１８ａ、塗布幅の異常部分１８ｂ等とそれらの位置を判定する。判定結果は図示しない表示部に数値データや表示画像として表示される。
【００２３】
前記実施の形態に係るシール材塗布検査置１によれば、平板状の透明基板Ｗの上方に、受光部の光軸Ｓ１を前記透明基板Ｗの上面に垂直に向けて配置され、透明基板Ｗからの反射光を検出するＣＣＤカメラ５と、前記透明基板Ｗの上面側にあって、投光部の光軸Ｓ２が前記ＣＣＤカメラ５の受光部の光軸Ｓ１と前記透明基板Ｗの上面で交差するように配置された照明器６と、前記透明基板Ｗの下面側に近接して配置され、前記照明器６から投光された光のうち前記透明基板Ｗを透過した光をＣＣＤカメラ５側へ反射する反射鏡１９とを備え、該反射鏡１９を、前記ＣＣＤカメラ５の受光部の光軸Ｓ１と前記照明器６の投光部の光軸Ｓ２との交差部の直下において前記透明基板Ｗに平行に配置した構成となっているので、照明器６からの落射照明のみを前記反射鏡１９によって前記透明基板Ｗのシール材１８の部分に反射させて、該シール材１８から充分な散乱光を発生させることができ、前記透明基板Ｗへのシール材１８の塗布状態を暗視野において正確に検査して、その塗布欠陥とその位置を容易に検出することができる。しかも、従来の装置のように、透明基板Ｗの下面側に透過照明装置を設置する必要がなく、単に１枚の反射鏡を設けるだけで済むので、構造が簡単であり、装置の製作費を低廉に抑えることができる。
【００２４】
また、前記ＣＤカメラ５と前記照明器６がそれらの光軸Ｓ１，Ｓ２をＸ軸方向ｘに沿う平面上に整列するようにして複数個設けられると共に、前記反射鏡１９がＸ軸方向ｘに沿うように延長して設けられ、前記透明基板Ｗを載置してＸ軸方向ｘに直交するＹ軸方向ｙに移動させるワーク搬送装置３が設けられた構成となっているので、前記ＣＤカメラ５と前記照明器６が、Ｘ軸方向ｘに沿った所定長さの領域を一度に検出、照明するラインセンサとライン照明器として機能するため、光学センサによる画像データの採取を効率的に行うことができると共に、前記光学センサと照明器をＸ軸方向ｘへ移動させるＸ軸駆動手段とその制御手段を設けなくて済み、装置の構成が一層簡単となる。
しかし、前記ＣＣＤカメラ５と前記照明器６は、複数個設けずに、一組だけをＸ軸ビーム４ｂにＸ軸方向ｘに移動自在に支持して設けてもよく、それらをＸ軸駆動手段によって一緒にＸ軸方向ｘに移動させることにより、透明基板Ｗの上面のＸ軸方向ｘにおける全領域を撮像することができる。この場合には、高価なＣＣＤカメラ５と照明器６の個数を減らして装置を安価に構成することができる。
【００２５】
【発明の効果】
以上説明したように、本発明によれば以下の優れた効果を奏する。
請求項１に係るシール材塗布検査装置によれば、光透過性を有する平板状被検査部材の上方に、受光部の光軸を前記平板状被検査部材の上面に略垂直に向けて配置され、平板状被検査部材からの反射光を検出する光学センサと、前記平板状被検査部材の上面側にあって、投光部の光軸が前記光学センサの受光部の光軸と前記平板状被検査部材の上面で交差するように配置された照明器と、前記平板状被検査部材の下面側に近接して配置され、前記照明器から投光された光のうち前記平板状被検査部材を透過した光を前記光学センサ側へ反射する反射鏡とを備えた構成としたので、前記照明器からの落射照明のみを前記反射鏡によって前記平板状被検査部材のシール材の部分に反射させて、該シール材から散乱光を良好に発生させることができ、平板状被検査部材のシール材の塗布状態を暗視野において正確に検査して、その塗布欠陥とその位置を容易に検出することができる。
しかも、従来の装置のように、平板状被検査部材の下面側に透過照明装置を設置する必要がなく、単に１枚の反射鏡を設けるだけで済むので、構造が簡単であり、装置の製作費を低廉に抑えることができる。
【００２６】
請求項２に係るシール材塗布検査装置によれば、反射鏡が、光学センサの受光部の光軸と照明器の投光部の光軸との交差部の直下において平板状被検査部材に平行に配置された構成としたので、前記反射鏡によって前記平板状被検査部材のシール材の部分に効果的に反射させて、該シール材から充分な散乱光を確実に発生させることができる。
【００２７】
請求項３に係るシール材塗布検査装置によれば、光学センサと照明器がそれらの光軸をＸ軸方向に沿う平面上に整列するようにして複数個設けられると共に、反射鏡がＸ軸方向に沿うように延長して設けられ、平板状被検査部材を載置してＸ軸方向に直交するＹ軸方向に移動させる搬送装置が設けられた構成としたので、前記光学センサと前記照明器が、Ｘ軸方向に沿った所定長さの領域を一度に検出、照明するラインセンサとライン照明器として機能するため、光学センサによる画像データの採取を効率的に行うことができると共に、前記光学センサと照明器をＸ軸方向へ移動させるＸ軸駆動手段とその制御手段を設けなくて済み、装置の構成が一層簡単となる。
【００２８】
請求項４に係るシール材塗布検査装置によれば、光学センサと照明器が一緒にＸ軸方向に移動自在に設けられると共に、反射鏡がＸ軸方向に沿うように延長して設けられ、平板状被検査部材を載置してＸ軸方向に直交するＹ軸方向に移動させる搬送装置が設けられた構成としたので、前記光学センサと照明器をＸ軸駆動手段によって一緒にＸ軸方向に移動させることにより、１組の光学センサと照明器でＸ軸方向における平板状被検査部材の全領域の上面を撮像することができ、高価なＣＣＤカメラ等の光学センサと照明器の個数を減らして装置を安価に構成することができる。
【図面の簡単な説明】
【図１】本発明の一実施の形態に係るシール材塗布検査装置を示す斜視図である。
【図２】本発明の一実施の形態に係るシール材塗布検査装置の要部の側面図である。
【図３】本発明の一実施の形態に係るシール材塗布検査装置の制御装置を示すブロック図である。
【図４】透明基板のシール材塗布状態の検査の説明図である。
【符号の説明】
１  シール剤塗布検査装置
３  ワーク搬送装置（搬送装置）
４  門型の支柱フレーム
４ｂ  Ｘ軸ビーム
５  ＣＣＤカメラ（光学センサ）
６  照明器
７  搬送機構
８、９，１０  支持案内機構
１４  ワーク支持板
１７  支持アーム
１８  シール材
１８ａ  塗布の途切れ部
１８ｂ  塗布幅の異常部分
１９  反射板
２０  制御装置
Ｓ１  ＣＣＤカメラの光軸
Ｓ２  照明器の光軸
Ｗ  透明基板（平板状被検査部材）
θ  ＣＣＤカメラと照明器の光軸の交差角
【図１】
2004309262.tif 000003
【図２】
2004309262.tif 000004
【図３】
2004309262.tif 000005
【図４】
2004309262.tif 000006